(57)【要約】【課題】発光源の消費電力を抑制し、熱放散を円滑にする照明装置を得る。【解決手段】この発明に係る照明装置１０は、平板状の樹脂体３と、この樹脂体３の両側端面に設けられ樹脂体３に向けて発光する発光ダイオード１０２，２０２と、発光ダイオード１０２，２０２にそれぞれ実装された基板１０１，２０１と、樹脂体３の端部、発光ダイオード１０２，２０２及び基板１０１，２０１を囲み発光ダイオード１０２，２０２からの熱を外部に放出する熱伝導部材５，７とを備えている。【選択図】図３
2007265791.tif 000002
【特許請求の範囲】
【請求項１】
平板状の樹脂体と、
この樹脂体の両側端面のうち少なくとも一方の端面側に設けられ樹脂体に向けて発光する発光ダイオードと、
この発光ダイオードが実装された基板と、
前記樹脂体の端部、前記発光ダイオード及び前記基板を囲み発光ダイオードからの熱を外部に放出する熱伝導部材と、
を備えたことを特徴とする照明装置。
【請求項２】
前記発光ダイオードは、前記樹脂体の一端面側に設けられた第１発光ダイオード、及び前記樹脂体の他端面側に設けられた第２発光ダイオードであり、
前記基板は、前記第１発光ダイオードが実装された第１基板、及び前記第２発光ダイオードが実装された第２基板であり、
前記熱伝導部材は、前記樹脂体の一端部、前記第１発光ダイオード及び前記第１基板を囲み第１発光ダイオードからの熱を外部に放出する第１熱伝導部材、及び前記樹脂体の他端部、前記第２発光ダイオード及び前記第２基板を囲み第２発光ダイオードからの熱を外部に放出する第２熱伝導部材であることを特徴とする請求項１に記載の照明装置。
【請求項３】
前記樹脂体の裏面側に設けられ前記第１熱伝導部材と前記第２熱伝導部材とを連結した第３熱伝導部材を備えたことを特徴とする請求項２に記載の照明装置。
【請求項４】
前記第１熱伝導部材と前記第３熱伝導部材の一端部との間に設けられ第１熱伝導部材と第３熱伝導部材とを接着した第１熱伝導テープと、
前記第２熱伝導部材と前記第３熱伝導部材の他端部との間に設けられ第２熱伝導部材と第３熱伝導部材とを接着した第２熱伝導テープと、
を備えたことを特徴とする請求項２または３に記載の照明装置。
【請求項５】
一対の、第１正極端子及び第１負極端子を有する前記第１基板、一対の、第２正極端子及び第２負極端子を有する前記第２基板は、それぞれ複数枚あり、
隣接した前記第１基板の前記第１正極端子同士は、第１リード線で電気的に接続され、
隣接した前記第１基板の前記第１負極端子同士は、第２リード線で電気的に接続され、
隣接した前記第２基板の前記第２正極端子同士は、第３リード線で電気的に接続され、
隣接した前記第２基板の前記第２負極端子同士は、第４リード線で電気的に接続されていることを特徴とする請求項２〜４の何れか１項に記載の照明装置。
【請求項６】
前記第３熱伝導部材は、前記第１発光ダイオード及び前記第２発光ダイオードからの光を反射する反射板を兼ねていることを特徴とする請求項２〜５の何れか１項に記載の照明装置。
【請求項７】
前記樹脂体の裏面側には、垂直方向に延び、かつ中央部に近づく程間隔が密である複数本の溝が形成されていることを特徴とする請求項１〜６の何れか１項に記載の照明装置。
【発明の詳細な説明】
【技術分野】
【０００１】
この発明は、例えばエレベーターかご室に設けられる照明装置に関するものである。
【背景技術】
【０００２】
従来の照明装置は、下記特許文献１に記載されているように、室内に照明装置を備えたエレベーターかご室において、エレベーターかご室の側壁の内側に光源を配置すると共に、この光源を覆うパネルを前記側壁に対して間隔をもって配置している。
照明装置は、照明パネルと、直管形の蛍光管と、取付け具と、止め具と、取付け金具とから構成され、照明パネルの内側に蛍光管が複数本支持されている。そして、照明パネルは、例えば、アクリル、ポリカーボネート等の樹脂体や布や紙等の非光透過性素材の板状の面形状を成しており、蛍光管が前方から直接見えないように蛍光管を覆っているが、蛍光管の左右及び上下方向は開放されている。
【０００３】
上記照明装置によれば、光源の近傍の側壁面には高い照度が提供でき、光源から離れた側壁面には順次低い照度が提供できるので、光の明暗差による遠近間を与えることができ、人の光の感覚機能を制御し拡がり感を与えることができる。つまり、人の光の感覚機能を制御し、視覚的に閉鎖感や圧迫感を軽減することができる。
【特許文献１】特開平７-２６７５４０号公報
【発明の開示】
【発明が解決しようとする課題】
【０００４】
しかしながら、上記従来のエレベーターの照明装置は、照明の発光源として蛍光管を用いているので、消費電力が大きく、しかも発光色が限定されているので、意匠的に好ましくないという課題があった。
【０００５】
この発明は、上記のような課題を解決するためになされたもので、発光源の消費電力を抑制し、熱放散を円滑にすると共に、色々な発光色が採用できる照明装置を提供することを目的とするものである。
【課題を解決するための手段】
【０００６】
この発明に係る照明装置は、平板状の樹脂体と、この樹脂体の両側端面のうち少なくとも一方の端面側に設けられ樹脂体に向けて発光する発光ダイオードと、この発光ダイオードが実装された基板と、前記樹脂体の端部、前記発光ダイオード及び前記基板を囲み発光ダイオードからの熱を外部に放出する熱伝導部材とを備えたものである。
【発明の効果】
【０００７】
この発明に係る照明装置によれば、発光源の消費電力を抑制し、熱放散を円滑にすると共に、色々な発光色が採用できる等の効果がある。
【発明を実施するための最良の形態】
【０００８】
実施の形態１．
以下、この発明の実施の形態１について図に基づいて説明する。
図１は実施の形態１による照明装置をエレベーターのかご室に応用した概略正面図、図２は図１に示す照明装置の全体斜視図、図３（ａ）は図２に示す照明装置の平面図、図３（ｂ）は図３（ａ）の正面図、図４は図１に示す照明装置の全体結線図、図５は図３（ａ）の右側面図である。
図１に示すように、照明装置１０をエレベーターのかご室１に取付けた応用例に従って説明する。
図１において、かご室1は、ほぼ四角の床板１ｃと、この床板１ｃの周縁部三方から立設する隣接する側壁１ａ、１ｂ、１ｚと、これら側壁１ａ、１ｂ、１ｚの頂部に取付けられた天井１ｄとから構成されている。天井１ｄには照明装置１０が固定されている。
【０００９】
図２及び図３において、照明装置１０は、平板状のアクリル等から構成された矩形状をした樹脂体３と、この平板状の樹脂体３の両側端面のうち、一端面側には、複数の第１発光ダイオード１０２を実装した第１基板１０１を有する第１発光体１００が設けられている。樹脂体３の他端面側には、複数の第１発光ダイオード２０２を実装した第２基板２０１を有する第２発光体２００が設けられている。
樹脂体３の一端部、第１発光体１００は、アルミニウムからなる第１熱伝導部材５で囲まれている。樹脂体３の他端部、第２発光体２００は、アルミニウムからなる凹部形状の第２熱伝導部材７で囲まれている。
第１発光ダイオード１０２、第２発光ダイオード２０２の発光色はそれぞれ赤色、青色である。この色を適宜選択できるので、意匠的にも好ましい。
第１発光体１００は、第１発光部１００Ａ、第２発光部１００Ｂ及び第３発光部１００Ｃが一列に配列されて構成されている。同様に、第２発光体２００は、第４発光部２００Ａ、第５発光部２００Ｂ及び第６発光部２００Ｃが一列に配列されて構成されている。
【００１０】
凹部形状の第１熱伝導部材５の底面と第１発光体１００との間には、熱伝導性を有すると共に、絶縁性を有する第１接着剤６が充填されている。同様に、凹部形状の第２熱伝導部材７の底面と第２発光体２００との間には、熱伝導性を有すると共に、絶縁性を有する第２接着剤８が充填されている。
第１熱伝導部材５及び第２熱伝導部材７は、表面積が大きくなるようにフィン状あるいは凹凸形状にすることで、熱放散を促進させるようにしてもよい。
【００１１】
樹脂体３の裏面側には、第１発光ダイオード１０２及び第２発光ダイオード２０２からの光を反射する反射板を兼ねたアルミニウム製の第３熱伝導部材１５が設けられている。
この熱伝導部材１５の一端部は、第１熱伝導部材５と第１熱伝導テープ９を介して接着されている。熱伝導部材１５の他端部は、第２熱伝導部材７と第２熱伝導テープ１１を介して接着されている。
なお、第３熱伝導部材１５は、かご室１の天井１ｄでもあってもよい。
【００１２】
樹脂体３には、多数の水玉模様３ａが施され、樹脂体３の裏面側には、樹脂体３の長手方向に延び、図２において線、点線で示された複数本の溝３ｕが形成されている。この溝３ｕは、第１発光ダイオード１０２、第２発光ダイオード２０２から発生した光が樹脂体３の内部でより均一になるように、中央部に近づく程間隔が密である。
【００１３】
第１発光体１００には、第１雄コネクタ２２が取付けられ、第２発光体２００にも、第２雄コネクタ２４が取付けられている。ＤＣ電源３０には、第１発光体１００及び第２発光体２００に直流電源を供給するために、第１雌コネクタ３２と第２雌コネクタ３４とが設けられている。第１雄コネクタ２２と第１雌コネクタ３２、第２雄コネクタ２４と第２雌コネクタ３４とは、それぞれ着脱可能になっている。
【００１４】
図４において、第１発光体１００の第１発光部１００Ａ〜第３発光部１００Ｃは、それぞれＤＣラインとＧＤラインとの間で電気的に接続された、複数の発光ダイオード１０２、複数の抵抗体１０４を有している。ＤＣラインの一端部には、第１正極端子ＤＣ、他端部には第１正極端子Ｖｃがそれぞれ設けられている。ＧＤラインの一端部には、第１負極端子ＧＤ、他端部には第１負極端子Ｇｃがそれぞれ設けられている。
第２発光体２００の第４発光部２００Ａ〜第６発光部２００Ｃは、それぞれＤＣラインとＧＤラインとの間で電気的に接続された、複数の発光ダイオード２０２、複数の抵抗体２０４を有している。ＤＣラインの一端部には、第２正極端子ＤＣ、他端部には第２正極端子Ｖｃがそれぞれ設けられている。ＧＤラインの一端部には、第２負極端子ＧＤ、他端部には第２負極端子Ｇｃがそれぞれ設けられている。
【００１５】
図５において、第１発光体１００における第１発光部１００Ａの第１正極端子Ｖｃ、第１負極端子Ｇｃは、第２発光部１００Ｂの第１正極端子ＤＣ、第１負極端子ＧＤとそれぞれ第１リード線１２２、第２リード線１２４で接続されている。第２発光体２００における第２発光部１００Ｂの第１正極端子Ｖｃ、第１負極端子Ｇｃは、第３発光部１００Ｃの第１正極端子ＤＣ、第１負極端子ＧＤがそれぞれ第１リード線１２２、第２リード線１２４で接続されている。
同様に、第２発光体２００における第４発光部２００Ａの第１正極端子Ｖｃ、第１負極端子Ｇｃは、第５発光部２００Ｂの第１正極端子ＤＣ、第１負極端子ＧＤとそれぞれ第３リード線２２２、第４リード線２２４で接続されている。第２発光体２００における第５発光部２００Ｂの第１正極端子Ｖｃ、第１負極端子Ｇｃは、第６発光部２００Ｃの第１正極端子ＤＣ、第１負極端子ＧＤがそれぞれ第３リード線２２２、第４リード線２２４で接続されている。
【００１６】
上記構成の照明装置では、ＤＣ電源３０から第１発光体１００、第２発光体２００に電流が供給されることで、第１及び第２発光ダイオード１０２、２０２から光が発生する。この光は、樹脂体３の内部で途中、溝３ｕにより屈折しながら、図３（ａ）の矢印Ａ、Ｂの方向に通過しつつ、天井１ｄからかご室１の内部に均一に照射される。
第１発光体１００、第２発光体２００に電流が供給されることで、第１発光ダイオード１０２、第２発光ダイオード２０２、抵抗体１０４、２０４は発熱し、この熱は、それぞれ第１基板１０１、第２基板２０１に熱伝導され、第１基板１０１の熱の一部は、第１熱伝導部材５及び第１熱伝導テープ９を介して第３熱伝導部材１５に熱伝導されて外部に熱放散される。
同様に、第２基板２０１の熱の一部は、第２熱伝導部材７及び第２熱伝導テープ１１を介して第３熱伝導部材１５に熱伝導されて外部に熱放散される。
【００１７】
以上説明したように、この実施の形態の照明装置によれば、第１発光ダイオード１０２、第２発光ダイオード２０２を用いたことにより、低消費電力化を図ることができる。
また、第１発光ダイオード１０２、第１抵抗体１０４で生じた熱は、第１熱伝導部材５を通じて外部に放出され、また第２発光ダイオード２０２、第２抵抗体２０４で生じた熱は、第２熱伝導部材７を通じて外部に放出されるので、第１発光ダイオード１０２、第２発光ダイオード２０２の熱破損を防止することができる。
【００１８】
また、樹脂体３の裏面側に第１熱伝導部材４と第２熱伝導部材７とを連結した第３熱伝導部材１５を備えたので、第１発光体１００、第２発光体２００で生じた熱は、より効率よく外部に抄出される。
【００１９】
また、第１熱伝導部材４と第３熱伝導部材１５の一端部との間は第１熱伝導テープ９で接着され、第２熱伝導部材７と第３熱伝導部材１５の他端部との間は第２熱伝導テープ１１で接着されているので、各熱伝導部材４，７，１５間の連結作業を簡単に行うことができる。
【００２０】
また、隣接した第１基板１０１同士は、第１リード線１２２、第２リード線１２４を介して電気的に接続され、隣接した第２基板２０１同士は、第３リード線２２２、第４リード線２２４を介して電気的に接続されているので、樹脂体３の大きさが異なる場合でも、第１基板１０１、第２基板２０１の枚数を増減することで対応することができる。
【００２１】
また、第３熱伝導部材１５は、第１発光ダイオード１０２及び第２発光ダイオード２０２からの光を反射する反射板を兼ねているので、反射板専用の部品を揃える必要性がなく、部品点数を削減することができる。
【００２２】
また、樹脂体３の裏面側には、垂直方向に延び、かつ中央部に近づく程間隔が密である複数本の溝３ｕが形成されているので、光は樹脂体３から外部に均一に照射される。
【００２３】
なお、上記の実施の形態では、樹脂体３の両端部のそれぞれに、第１発光体１００、第２発光体２００を設けたが、何れか一方に発光体を設けてよい。
また、発光ダイオードについても、単数であってもよい。
【図面の簡単な説明】
【００２４】
【図１】この発明の実施の形態１による照明装置をエレベーターのかご室に応用した概略正面図である。
【図２】図１に示す照明装置の全体斜視図である。
【図３】図３（ａ）は図２に示す照明装置の平面図、図３（ｂ）は図２に示す照明装置の正面図である。
【図４】図１に示す照明装置の全体結線図である。
【図５】図３（ａ）に示す照明装置の右側面図である。
【符号の説明】
【００２５】
３  樹脂体、３u  溝、５  第１熱伝導部材、７  第２熱伝導部材、９  第１熱伝導テープ、１０  照明装置、１１  第２熱伝導テープ、１５  第３熱伝導部材、１００  第１発光体、１００Ａ  第１発光部、１００Ｂ  第２発光部、１００Ｃ  第３発光部、１０１  第１基板、１０２  第１発光ダイオード、１２２  第１リード線、１２４  第２リード線、２００  第２発光体、２００Ａ  第４発光部、２００Ｂ  第５発光部、２００Ｃ  第６発光部、２０１  第２基板、２０２  第２発光ダイオード、２２２  第３リード線、２２４  第４リード線。
【図１】
2007265791.tif 000003
【図２】
2007265791.tif 000004
【図３】
2007265791.tif 000005
【図４】
2007265791.tif 000006
【図５】
2007265791.tif 000007